(57)【要約】【課題】頭部を効率良くマッサージすることが可能で、かつ十分なマッサージ効果が得られるマッサージ具およびヘアドライヤーを提供する。【解決手段】ヘアドライヤー本体の空気吹出し口に取り付けられるマッサージ具１は、空気吹出し口に接続される中空の筒部３と、この筒部３から空気吹出し口と反対側に延びる複数の可撓性アーム２とを備えている。筒部３は、空気吹出し口側に第１開口部１１を有しているとともに、空気吹出し口と反対側に第２開口部１０を有している。可撓性アーム２は、第２開口部１０を囲むように、第２開口部１０の周縁に環状に配列されている。可撓性アーム２の先端には、頭部と接触するように指形に形成された指形部２ａが設けられている。【選択図】図６
0003219460.tif 000002
【実用新案登録請求の範囲】
【請求項１】
ヘアドライヤー本体の空気吹出し口に取り付けられる頭部マッサージ用のマッサージ具であって、
前記空気吹出し口に接続される中空の筒部と、
前記筒部から前記空気吹出し口と反対側に延びる複数の可撓性アームと、を備え、
前記筒部は、前記空気吹出し口側に第１開口部を有しているとともに、前記空気吹出し口と反対側に第２開口部を有しており、
前記複数の可撓性アームは、前記第２開口部を囲むように、当該第２開口部の周縁に環状に配列され、
前記複数の可撓性アームの先端に、頭部と接触するように指形に形成された指形部が設けられている、ことを特徴とするヘアドライヤー用マッサージ具。
【請求項２】
請求項１に記載のヘアドライヤー用マッサージ具において、
前記複数の可撓性アームの前記指形部を除いた部分は、前記第２開口部からの風の吹出し方向と垂直な方向から見て、弧状に形成されており、
前記複数の可撓性アームの前記指形部は、当該指形部を除いた部分に対して、外側に反るように形成されている、ことを特徴とするヘアドライヤー用マッサージ具。
【請求項３】
請求項１または請求項２に記載のヘアドライヤー用マッサージ具において、
前記筒部は、前記第１開口部と前記第２開口部との間に、前記ヘアドライヤー本体の空気吹出し口から吹き出した風を拡散させるための風拡散ガイドを備えている、ことを特徴とするヘアドライヤー用マッサージ具。
【請求項４】
請求項３に記載のヘアドライヤー用マッサージ具において、
前記風拡散ガイドは、前記第１開口部から前記第２開口部に向って末広がりの形状であって、前記第１開口部側に通風孔を有しており、
前記通風孔は、分割壁によって複数に分割されている、ことを特徴とするヘアドライヤー用マッサージ具。
【請求項５】
請求項３または請求項４に記載のヘアドライヤー用マッサージ具において、
前記筒部と前記風拡散ガイドとの間に、前記ヘアドライヤー本体の空気吹出し口から吹き出した風が流れる送風路と、この送風路を複数に分割する隔壁とが形成されている、ことを特徴とするヘアドライヤー用マッサージ具。
【請求項６】
ヘアドライヤー本体と、
前記ヘアドライヤー本体の空気吹出し口に取り付けられる頭部マッサージ用のマッサージ具と、を備え、
前記マッサージ具は、請求項１ないし請求項５のいずれかに記載のヘアドライヤー用マッサージ具である、ことを特徴とするヘアドライヤー。
【考案の詳細な説明】
【技術分野】
【０００１】
本考案は、ヘアドライヤーの空気吹出し口に取り付けて使用するマッサージ具、およびこのマッサージ具を備えたヘアドライヤーに関する。
【背景技術】
【０００２】
一般に、ヘアドライヤーは、発熱体や送風ファンなどを内蔵した筒状のケースと、このケースの後部に設けられた把持部とを備えている。そして、把持部を手で把持した状態で、当該把持部に設けられている操作スイッチを操作することで、ケースの先端の空気吹出し口から温風または冷風を吹き出して、頭髪を乾燥させる。また、ヘアドライヤーには、頭髪を乾燥させるだけでなく、頭部をマッサージする機能を備えたものがある（たとえば後掲の特許文献１〜３参照）。
【０００３】
特許文献１に記載されているヘアドライヤーでは、空気吹出し口に、頭部の一部を覆うためのカバー体が取り付けられ、このカバー体の内部に設けられた複数の棒状体（頭部刺激体）の先端が頭部に接触することで、頭部をマッサージするようにしている。
【０００４】
特許文献２に記載されているヘアドライヤーでは、空気吹出し口に、櫛状やブラシ状に形成された挟持部を有するアタッチメントが取り付けられ、空気吹出し口からの風の温度に応じて挟持部が自在に形状変化することで、頭部をマッサージするようにしている。
【０００５】
特許文献３に記載されているヘアドライヤーでは、空気吹出し口に着脱可能に取り付けられるノズルの先端に、複数本のピン体が突設されており、このピン体の先端を頭皮に接触させることで、頭部をマッサージするようにしている。
【先行技術文献】
【特許文献】
【０００６】
【特許文献１】特開２０１７−１６９６１４号公報
【特許文献２】特開２０１１−５６１４１号公報
【特許文献３】実用新案登録第３１８４９５５号公報
【考案の概要】
【考案が解決しようとする課題】
【０００７】
特許文献１〜３のヘアドライヤーでは、マッサージ用の棒状体、挟持部、ピン体などが、横一列に配列された構成となっているので、限られたサイズの範囲内で、これらのマッサージ部材を多数並べて配置するには限界がある。このため、頭部を効率良くマッサージすることが難しく、マッサージ効果も十分でないという問題がある。
【０００８】
本考案は、上記の問題点に鑑み、頭部を効率良くマッサージすることが可能で、かつ十分なマッサージ効果が得られるマッサージ具およびヘアドライヤーを提供することを課題としている。
【課題を解決するための手段】
【０００９】
本考案に係るマッサージ具は、ヘアドライヤー本体の空気吹出し口に取り付けられる頭部マッサージ用のマッサージ具であって、空気吹出し口に接続される中空の筒部と、この筒部から空気吹出し口と反対側に延びる複数の可撓性アームとを備えている。筒部は、空気吹出し口側に第１開口部を有しているとともに、空気吹出し口と反対側に第２開口部を有している。複数の可撓性アームは、第２開口部を囲むように、当該第２開口部の周縁に環状に配列されている。複数の可撓性アームの先端には、頭部と接触するように指形に形成された指形部が設けられている。また、本考案に係るヘアドライヤーは、ヘアドライヤー本体と、このヘアドライヤー本体の空気吹出し口に取り付けられる上述したマッサージ具とを備えている。
【００１０】
本考案のマッサージ具にあっては、複数の可撓性アームが第２開口部の周縁に環状に配列されているので、サイズの範囲が限られていても、可撓性アームの本数を多く確保することができる。このため、可撓性アームと頭部との接触点の数が増えて、頭部を効率良くマッサージでき、また十分なマッサージ効果を得ることができる。さらに、アーム先端の指形部が頭部に接触して刺激を加えるので、利用者に対して、指先でマッサージをしているような快感を与えることができる。
【００１１】
本考案では、複数の可撓性アームの指形部を除いた部分は、第２開口部からの風の吹出し方向と垂直な方向から見て、弧状に形成されており、複数の可撓性アームの指形部は、当該指形部を除いた部分に対して外側に反るように形成されていることが好ましい。
【００１２】
本考案において、筒部は、第１開口部と第２開口部との間に、ヘアドライヤー本体の空気吹出し口から吹き出した風を拡散させるための風拡散ガイドを備えていることが好ましい。
【００１３】
上記の風拡散ガイドは、第１開口部から第２開口部に向って末広がりの形状であって、第１開口部側に通風孔を有しており、この通風孔は、分割壁によって複数に分割されていることが好ましい。
【００１４】
本考案では、筒部と風拡散ガイドとの間に、ヘアドライヤー本体の空気吹出し口から吹き出した風が流れる送風路と、この送風路を複数に分割する隔壁とが形成されていてもよい。
【考案の効果】
【００１５】
本考案によれば、頭部を効率良くマッサージすることが可能で、かつ十分なマッサージ効果が得られるマッサージ具およびヘアドライヤーを提供することができる。
【図面の簡単な説明】
【００１６】
【図１】本考案によるマッサージ具をヘアドライヤー本体に取り付けた状態を示す図である。
【図２】本考案によるマッサージ具の正面図である。
【図３】図２のマッサージ具を右方向から見た右側面図である。
【図４】図２のマッサージ具を上方向から見た平面図である。
【図５】図２のマッサージ具を裏側から見た背面図である。
【図６】図２のＡ−Ａ矢視断面図である。
【図７】図２のＢ−Ｂ矢視断面図である。
【図８】図７との比較例を示す断面図である。
【考案を実施するための形態】
【００１７】
以下、本考案の実施形態につき、図面を参照しながら説明する。各図において、同一の部分または対応する部分には、同一符号を付してある。
【００１８】
図１に示すように、本考案によるマッサージ具１は、ヘアドライヤー本体２０の空気吹出し口２３に取り付けられる、頭部マッサージ用のマッサージ具である。マッサージ具１は、ゴムなどの弾性材からなり、空気吹出し口２３に接続される中空の筒部３と、この筒部３から空気吹出し口２３と反対側に延びる複数の可撓性アーム２とを備えている。
【００１９】
筒部３は、円筒形に形成されていて、図５および図６に示すように、空気吹出し口２３（図１）側に第１開口部１１を有しているとともに、図２および図６に示すように、空気吹出し口２３と反対側に第２開口部１０を有している。また、複数の可撓性アーム２は、図２に示すように、第２開口部１０を囲むように、第２開口部１０の周縁に環状に配列されている。本例では１０本の可撓性アーム２が設けられている。そして、それぞれの可撓性アーム２の先端には、図３および図４に示すように、頭部と接触するように指形に形成された指形部２ａが設けられている。ここでは、指形部２ａに爪のデザインが付加されているが、爪のデザインは省略してもよく、要は、指形部２ａが人の指をイメージさせる形状であればよい。
【００２０】
可撓性アーム２の指形部２ａを除いた部分は、第２開口部１０からの風の吹出し方向と垂直な方向（たとえば図６で紙面と垂直な方向）から見て、弧状に形成されている。また、可撓性アーム２の指形部２ａは、当該指形部２ａを除いた部分に対して外側に反るように形成されている。
【００２１】
図２および図７に示すように、筒部３は、第１開口部１１と第２開口部１０との間に、ヘアドライヤー本体２０の空気吹出し口２３（図１）から吹き出した風を拡散させるための風拡散ガイド５を備えている。風拡散ガイド５は、図７に示すように、第１開口部１１から第２開口部１０に向って末広がりの形状（すり鉢形）であって、第１開口部１１側に通風孔７を有している。この通風孔７は、分割壁６によって複数に分割されている。本例では、図２に示すように、分割壁６は十字形に形成されており、この分割壁６によって通風孔７は４つに分割されている。
【００２２】
図５および図６に示すように、筒部３と風拡散ガイド５との間には、ヘアドライヤー本体２０の空気吹出し口２３（図１）から吹き出した風が流れる送風路９と、この送風路９を複数に分割する隔壁８とが形成されている（図２も参照）。
【００２３】
図７に示すように、筒部３は、その内側に円筒形の取付部４を有している。この取付部４は、合成樹脂からなり、筒部３と同軸となるように円筒形に形成されている。また、取付部４の第１開口部１１側の端部は、筒部３から突出している。
【００２４】
以上の構造を有するマッサージ具１は、筒部３から突出した取付部４をヘアドライヤー本体２０の空気吹出し口２３に嵌合させることにより、図１に示したように、ヘアドライヤー本体２０に取り付けられる。マッサージ具１とヘアドライヤー本体２０とによって、本考案のヘアドライヤーＤＲが構成される。マッサージ具１は、ヘアドライヤー本体２０に対して着脱自在となっている。ヘアドライヤー本体２０は、モータ、送風ファン、発熱体など（図示省略）が収容されたケース２１と、利用者の手により把持される把持部２２と、電源のオン・オフや風量の切り替えを行うための操作スイッチ２４と、ヘアドライヤー本体２０へ電力を供給するためのコード２５とを備えている。
【００２５】
次に、マッサージ具１の使用方法について説明する。上述した要領でマッサージ具１をヘアドライヤー本体２０の空気吹出し口２３に取り付けた状態（図１）で、把持部２２を手で把持して操作スイッチ２４をオンにすると、空気吹出し口２３から風が噴出する。この風は、マッサージ具１の筒部３の第１開口部１１（図７）から流入し、筒部３と風拡散ガイド５との間の送風路９を流れて、第２開口部１０から流出する。また、第１開口部１１から流入した風の一部は、風拡散ガイド５の通風孔７を通って拡散され、第２開口部１０から流出する。この風の拡散については、後で詳しく説明する。
【００２６】
第２開口部１０から流出した風は、複数の可撓性アーム２で囲まれた空間を流れ、頭部（頭髪および頭皮）に吹き付けられる。そして、ヘアドライヤーＤＲを頭部に近づけるように動かしてゆくと、マッサージ具１の可撓性アーム２の先端に設けられている指形部２ａが頭部に接触する。このとき、指形部２ａは、前述のように外側に反るように形成されているので、指形部２ａの内側（指の腹）が頭部と接触することになる。その後、さらにヘアドライヤーＤＲを頭部に近づけると、可撓性アーム２が弧状であるため、可撓性アーム２は外側に広がるように容易に弾性変形し、可撓性アーム２から頭部に押圧力が作用する。そして、ヘアドライヤーＤＲと頭部との距離を近づけたり離したりすることで、頭部に作用する押圧力が強まったり弱まったりするので、ヘアドライヤーＤＲの位置操作によって頭髪や頭皮に刺激を与えて、頭部をマッサージすることができる。
【００２７】
この場合、複数（本例では１０本）の可撓性アーム２は、第２開口部１０の周縁に環状に配列されているので、限られたサイズの範囲で直線状に配列する場合に比べて、可撓性アーム２の本数を多く確保することができる。その結果、可撓性アーム２の先端に形成された指形部２ａと頭部との接触点の数が増えるため、頭部を効率良くマッサージすることができるとともに、十分なマッサージ効果を得ることができる。また、人の指の形をした指形部２ａによって頭部に刺激が加わるので、利用者に対して、指先でマッサージをしているような快感を与えることができる。そして、指形部２ａの指の腹に相当する部分で頭部が押圧されることから、マッサージ効果がより高められ、頭部の血行が促進される。
【００２８】
さらに、可撓性アーム２は、第２開口部１０から吹き出す拡散された風の力を受けることによっても、弾性変形して頭部をマッサージする機能を備えている。以下、この風の拡散作用について詳細に説明する。
【００２９】
図７において、筒部３の第１開口部１１から流入した風の一部は、破線の矢印で示すように、風拡散ガイド５の通風孔７を通った後、風拡散ガイド５の内部へ流入する。ここで、通風孔７には分割壁６が存在するため、流入する風は分割壁６に衝突して、直進する風の比率が減少する。一方、分割壁６により分割された通風孔７を通った風は、末広がり形状の風拡散ガイド５の内壁に案内され、外側に拡散される風の比率が増加する。もし、通風孔７に分割壁６が存在しなければ、図８に示すように、風拡散ガイド５の内部を直進する風の比率が増大し、風の拡散作用は弱くなる。
【００３０】
さらに、第１開口部１１から筒部３と風拡散ガイド５との間の送風路９へ流入した風は、風拡散ガイド５の外壁に案内され、同様に外側に拡散される風の比率が増加する。このようにして、第１開口部１１から流入した風が、風拡散ガイド５の内壁および外壁に案内される結果、第２開口部１０から吹き出す風には、外側に拡散された成分が多くなる。そして、この拡散成分が可撓性アーム２に当たることによって、可撓性アーム２が振動するように弾性変形し、この振動によっても頭部に刺激が与えられるので、マッサージ効果をより一層高めることができる。また、複数の可撓性アーム２が第２開口部１０の周囲に環状に配置されていることから、第２開口部１０から吹き出す拡散された風を、それぞれの可撓性アーム２に均等に当てることができるので、可撓性アーム２を均等に振動させて安定したマッサージを行うことが可能となる。
【００３１】
本考案は、上述した以外にも、以下のような様々な実施形態を採用することができる。
【００３２】
前記の実施形態では、可撓性アーム２の本数を１０本としたが、これは一例であって、可撓性アーム２の本数は任意に選定することができる。
【００３３】
前記の実施形態では、筒部３が円筒形に形成されている例を挙げたが、筒部３の形状は、ヘアドライヤー本体２０の空気吹出し口２３の形状に合わせて決定すればよく、たとえば角筒や楕円筒などの形状であってもよい。
【００３４】
前記の実施形態では、筒部３に備わる取付部４が合成樹脂からなる例を挙げたが、取付部４の材質は、合成樹脂に限らず、たとえば金属であってもよい。
【００３５】
前記の実施形態では、分割壁６を十字形として通風孔７を４つに分割した例を挙げたが、本考案はこれに限定されない。たとえば、分割壁６をＹ字形に形成してもよい。この場合、通風孔７は３つに分割される。その他、分割壁６はＩ字形や＊（アスタリスク）形であってもよい。Ｉ字形の場合は、通風孔７は２つに分割され、＊形の場合は、通風孔７は６つに分割される。
【００３６】
前記の実施形態では、マッサージ具１をヘアドライヤー本体２０に取り付けて使用する例を挙げたが、マッサージ具１は、ヘアドライヤー本体２０に取り付けずに、単独でマッサージに使用することもできる。
【００３７】
前記の実施形態では、マッサージ具１をヘアドライヤー本体２０に着脱自在に取り付けた例を挙げたが、マッサージ具１は、ヘアドライヤー本体２０に一体的に固定されていてもよい。
【符号の説明】
【００３８】
１    マッサージ具
２    可撓性アーム
２ａ  指形部
３    筒部
４    取付部
５    風拡散ガイド
６    分割壁
７    通風孔
８    隔壁
９    送風路
１０    第２開口部
１１    第１開口部
２０    ヘアドライヤー本体
２１    ケース
２２    把持部
２３    空気吹出し口
ＤＲ    ヘアドライヤー
【図１】
0003219460.tif 000003
【図２】
0003219460.tif 000004
【図３】
0003219460.tif 000005
【図４】
0003219460.tif 000006
【図５】
0003219460.tif 000007
【図６】
0003219460.tif 000008
【図７】
0003219460.tif 000009
【図８】
0003219460.tif 000010